(57)【要約】 【課題】使い勝手が良く、かつ、強度の高いクリップを提供すること。【解決手段】クリップ１は、ベース体２と、このベース体２に回動機構４を介して回動可能に取付けられ、ベース体２との間に、例えば、バックパック２００のベルト２１０を挟持する蓋体３と、蓋体３に設けられた被係止軸部５と、ベース体２に、別体として、かつ、移動可能に設けられた２枚のスライド部材６Ａ，６Ｂと、このスライド部材６Ａ，６Ｂに設けられ、被係止軸部５を係止するとともに、スライド部材６Ａ，６Ｂがそれぞれ隔離する方向へ移動された際に、被係止軸部５との係止状態を解除する係止部７とを備える。スライド部材６Ａ,６Ｂは、スライト部材６Ａ,６Ｂを互いに隔離する方向へ付勢する弾性脚６２を備える。【選択図】 図１
2006141623.tif 000002
【特許請求の範囲】
【請求項１】
ベース体２と、このベース体２に回動可能に設けられた蓋体３とを備え、前記ベース体２と前記蓋体３との間に被挟持体２１０を挟持するクリップ１，１Ａにおいて、
前記ベース体２および前記蓋体３のいずれか一方に被係止部５が設けられ、
前記ベース体２および前記蓋体３のいずれか他方に、前記被係止部５を係止する移動体６Ａ，６Ｂ，８が移動自在に設けられている
ことを特徴とするクリップ。
【請求項２】
前記移動体６Ａ，６Ｂ，８には、前記被係止部５を係止する係止部７，９が設けられている
ことを特徴とする請求項１に記載のクリップ。
【請求項３】
前記移動体６Ａ，６Ｂ，８を、前記被係止部５を係止する位置に復帰させる付勢手段が設けられている
ことを特徴とする請求項１または請求項２に記載のクリップ。
【請求項４】
前記付勢手段は、前記移動体６Ａ，６Ｂ，８に一体的に形成され弾性変形可能な弾性脚６２，８２Ａ，８２Ｂによって構成され、前記移動体６Ａ，６Ｂ，８が、前記被係止部５を係止する位置から移動する際に弾性脚６２，８２Ａ，８２Ｂが弾性変形し、この弾性脚６２，８２Ａ，８２Ｂの復元力により前記被係止部５が前記係止部７，９に係止される位置に前記移動体６Ａ，６Ｂ，８が復帰される
ことを特徴とする請求項３に記載のクリップ。
【請求項５】
前記移動体は、前記ベース体２および前記蓋体３のいずれか他方に互いに接近離隔する方向へ移動可能に設けられた一対のスライド部材６Ａ，６Ｂを有し、
この一対のスライド部材６Ａ，６Ｂには、一対のスライド部材６Ａ，６Ｂを互いに離隔する方向へ付勢する付勢手段と、この付勢手段によって一対のスライド部材６Ａ，６Ｂが互いに離隔する方向へ付勢された状態において前記被係止部５を係止する前記係止部７とが設けられている
ことを特徴とする請求項１に記載のクリップ。
【請求項６】
前記付勢手段は、前記各スライド部材６Ａ，６Ｂに一体的に形成され弾性変形可能な弾性脚６２によって構成されている
ことを特徴とする請求項５に記載のクリップ。
【請求項７】
前記移動体は、前記ベース体および前記蓋体のいずれか他方に進退可能に設けられた進退部材８を有し、
この進退部材８には、進退部材８を前記ベース体２および前記蓋体３のいずれか他方から突出する方向へ付勢する付勢手段と、この付勢手段によって進退部材８が突出する方向へ付勢された状態において前記被係止部５を係止する前記係止部７とが設けられている
ことを特徴とする請求項１に記載のクリップ。
【請求項８】
前記付勢手段は、前記進退部材８に一体的に形成され弾性変形可能な弾性脚８２Ａ，８２Ｂによって構成されている
ことを特徴とする請求項７に記載のクリップ。
【請求項９】
前記ベース体２および前記蓋体３のいずれか他方に設けられた抜止部２４５と、
前記移動体６Ａ，６Ｂ，８に設けられ、前記抜止部２４５と係合する被抜止部６６とを備える
ことを特徴とする請求項１〜請求項８のいずれかに記載のクリップ。
【発明の詳細な説明】
【技術分野】
【０００１】
本発明は、２つの部材を、互いに着脱可能に結合させるクリップに関する。例えば、ポーチを、バッグパックに着脱可能に後付けするためのクリップに関する。
【背景技術】
【０００２】
例えば、図９に示すように、バックパック２００の側面側に小物を入れるポーチ１００を取付けた状態で使用される場合がある。従来、バックパック２００にポーチ１００を後付けする手段として、図１０に示すようなクリップ３００が用いられる（例えば、特許文献１参照）。
【０００３】
クリップ３００は、板状のベース体３１０と、ベース体３１０の一端部を支点に回動自在に設けられた板状の蓋体３２０とから構成される。ベース体３１０は、表面に形成された２本のスリット３１１と、他端部の両側に形成された係止爪３１２とを備えている。蓋体３２０は、Ｕ字状をなした２本の腕部３２１と、腕部３２１の先端に形成され、係止爪３１２と係合する係止孔３２２とを備えている。
【０００４】
このようなクリップ３００を用いて、ポーチをバックパックに取付けるには、例えば、ベース体３１０のスリット３１１に、ポーチのストラップ１１０を挿通してポーチを取付け、次に、ベース体３１０と蓋体３２０との間に、バックパックのベルトを挟み、係止爪３１２および係止孔３２２を係合させればよい。
また、ポーチをバックパックから取り外すには、つまり、クリップ３００をベルトから取り外すには、係止爪３１２および係止孔３２２の係合を解除する。そのためには、蓋体３２０の腕部３２１の両外側端面を指で内側に押圧しながら、係止爪３１２と係止孔３２２を隔離させるとともに、蓋体３２０をベース体３１０から離れる方向へ回動させればよい。
【０００５】
また、他の従来例として、図１１に示すように、特許文献１のクリップ３００とほぼ同様の構成を備えており、ベース体３１０に被係止爪３１３が、蓋体３２０に被係止爪３１３と係合する係止爪３２３が形成されたクリップ３００Ａも知られている（例えば、特許文献２参照）。被係止爪３１３には、その根元部分から延長され、変形可能な小腕部３１４が形成されており、この小腕部３１４を変形させると、被係止爪３１３の位置がずれる使用方法および操作方法も、クリップ３００とほぼ同様であるが、被係止爪３１３および係止爪３２３の係合を解除するためには、ベース体３１０の両外側側端面を、指で内側に押圧して小腕部３１４を変形させ、被係止爪３１３と係止爪３２３を隔離させるとともに、蓋体３２０を回動させる。
【０００６】
【特許文献１】特開２００２−１１９３２２号公報
【特許文献２】米国特許第６１４５１６９号
【発明の開示】
【発明が解決しようとする課題】
【０００７】
特許文献１および特許文献２のクリップ３００,３００Ａにおいて、係止爪３１２,３２３、および、係止孔３２２または被係止爪３１３の係合を解除するには、ベース体３１０または蓋体３２０の両外側側端面を指で内側に押圧し、腕部３２１または小腕部３１４を変形させていた。しかし、これら腕部３２１および小腕部３１４は、それぞれベース体３１０または蓋体３２０に一体的に成形されたものである。さらに、これらベース体３１０および蓋体３２０は、厚みのある樹脂で成形され、かつ、板状の形状を持つため、内側へ向かって変形しにくい。そのため、腕部３２１および小腕部３１４を、係合の解除に充分なほど変形させるためには、かなり強い押圧力が必要となる。しかし、ベース体３１０および蓋体３２０の材質・形状は、使用目的、強度確保、さらに、係止爪３１２,３２３、係止孔３２２、被係止爪３１３の形成のために、強度のある樹脂製や、幅広の板状形を採用せざるを得ない。
【０００８】
また、特許文献１のクリップ３００には、回動を行う蓋体３２０に押圧される腕部３２１が形成されていることから、係止爪３１２と係止孔３２２の係合の解除を行うには、蓋体３２０の両側端面を指で内側に押圧しながら、蓋体３２０を回動させなければならないが、上記の通り、蓋体３２０の押圧にかなり強い力が必要なことから、この連動する２つの動作をスムーズに行うことは難しい。
このように、特許文献１および特許文献２のクリップ３００,３００Ａには、その使用において、強い力が必要であり、また、操作性が悪いことから、使用者および使用用途が限られるという課題がある。
【０００９】
本発明の目的は、使い勝手が良く、かつ、強度の高いクリップを提供することである。
【課題を解決するための手段】
【００１０】
本発明のクリップは、ベース体と、このベース体に回動可能に設けられた蓋体とを備え、ベース体と蓋体との間に被挟持体を挟持するクリップにおいて、ベース体および蓋体のいずれか一方に被係止部が設けられ、ベース体および蓋体のいずれか他方に、被係止部を係止する移動体が移動自在に設けられていることを特徴とする。
【００１１】
このような構成によれば、被係止部が移動体によって係止された状態において、移動体を、この被係止部を係止する位置から移動させると、被係止部と移動体の係止状態が解除され、つまり、ベース体と蓋体の係止状態が解除される。移動体は、ベース体および蓋体のいずれか他方に移動自在に設けられているため、ベース体および蓋体の材質・形状によって移動されにくくなることはない。そのため、ベース体および蓋体がどのような材質・形状であっても、移動体は移動させやすく、使用者は、軽い力で係止状態の解除を行うことができる。従って、操作性が良いので、クリップの使用者および使用用途を拡大させることができる。
【００１２】
さらに、ベース体および蓋体の材質・形状は、クリップの使用目的や強度を優先することができるため、使い勝手が良く、かつ、強度の高いクリップを実現できる。
さらに、特許文献１のように、係止解除を行うために変形または移動される部材（特許文献１ではフランジ、本発明では移動体）が蓋体に設けられているクリップの場合、このクリップを被挟持体から取り外す過程において、ベース体と蓋体の係止状態の解除、および、蓋体の回動という２つの作業を連動して行わなければならない。しかし、本発明では、前述のように、使用者は、移動体を、被係止部を係止する位置から移動させる作業を軽い力で容易に行うことができるため、次に行う蓋体を回動させる作業へ、スムーズに取りかかることができる。つまり、クリップを取り外す際に強い力が必要ないことから、係止状態の解除、および、蓋体の回動は、それぞれ互いの作業に邪魔されることなく行われることができる。
【００１３】
本発明のクリップは、移動体には、被係止部を係止する係止部が設けられていることが好ましい。
このような構成によれば、移動体は、被係止部に対応する係止部を設けていることから、被係止部を係止しやすくなる。
【００１４】
本発明のクリップは、移動体を、被係止部を係止する位置に復帰させる付勢手段が設けられていることが好ましい。
【００１５】
このような構成によれば、被係止部を移動体に係止させるには、まず、移動体を、被係止部を係止する位置から移動させる作業、次に、移動体を、被係止部を係止する位置まで移動させる作業が必要となるが、この後者の作業は、付勢手段によって、被係止部が移動体に係止される位置に、移動体が復帰されることより行われるため、使用者は、前者の作業のみを行えばよい。
【００１６】
ベース体と蓋体との係止状態において、被係止部が移動体に係止される位置に、移動体が常に付勢されるので、移動体を移動させない限り、この係止状態が外れることはない。
ベース体と蓋体との係止状態を解除するには、まず、移動体を、被係止部を係止する位置から移動させ、係止状態を解除させるが、この作業の後、移動体は、付勢手段によって自動的に所定の位置から元の位置に復帰するので、使用者は、この移動体を元の位置に移動させる作業を行う必要はない。
【００１７】
本発明のクリップにおいて、付勢手段は、移動体に一体的に形成され弾性変形可能な弾性脚によって構成され、移動体が、被係止部を係止する位置から移動する際に弾性脚が弾性変形し、この弾性脚の復元力により被係止部が係止部に係止される位置に移動体が復帰されることが好ましい。
このような構成によれば、付勢手段は、移動体と一体的に形成された弾性脚であることから、物品点数、組立工程数が少なくてすみ、さらに、比較的簡単な構成であるので成形しやすい。
【００１８】
本発明のクリップにおいて、移動体は、ベース体および蓋体のいずれか他方に互いに接近離隔する方向へ移動可能に設けられた一対のスライド部材を有し、この一対のスライド部材には、一対のスライド部材を互いに離隔する方向へ付勢する付勢手段と、この付勢手段によって一対のスライド部材が互いに離隔する方向へ付勢された状態において被係止部を係止する係止部とが設けられていることが好ましい。
【００１９】
このような構成によれば、付勢手段によって、一対のスライド部材は、係止部が被係止部を係止する状態となる方向、つまり、互いに隔離する方向へ常に付勢されるので、この係止状態を確実に保持することができる。
一対のスライド部材を互いに接近する方向へ移動させ、スライド部材が所定の位置に達すると、ベース体と蓋体との係止状態が解除される。つまり、この係止状態を解除するには、一対のスライド部材を、互いに接近する方向へ移動させればよい。よって、使用者は、例えば、人差し指を一方のスライド部材の外側面に、親指を他方のスライド部材の外側面に当て、この２本の指の間を狭めるように互いに押圧すれば、この係止状態を解除することができる。つまり、使用者は、片手の指でこの解除作業を行うことができるから、操作性が良い。
【００２０】
本発明のクリップにおいて、付勢手段は、各スライド部材に一体的に形成され弾性変形可能な弾性脚によって構成されていることが好ましい。
このような構成によれば、付勢手段は、各スライド部材と一体的に形成された弾性脚であることから、物品点数、組立工程数が少なくてすみ、さらに、比較的簡単な構成であるので成形しやすい。
【００２１】
本発明のクリップにおいて、移動体は、ベース体および蓋体のいずれか他方に進退可能に設けられた進退部材を有し、この進退部材には、進退部材をベース体および蓋体のいずれか他方から突出する方向へ付勢する付勢手段と、この付勢手段によって進退部材が突出する方向へ付勢された状態において被係止部を係止する係止部とが設けられていることが好ましい。
【００２２】
このような構成によれば、付勢手段によって、進退部材は、係止部が被係止部を係止する状態となる方向、つまり、ベース体および蓋体のいずれか他方から突出する方向へ常に付勢されるので、この係止状態を確実に保持することができる。
進退部材を、ベース体および蓋体のいずれか他方に進入する方向へ移動させ、進退部材が所定の位置まで達すると、ベース体と蓋体との係止状態が解除される。つまり、この係止状態を解除するには、移動体を進入する方向へ移動させればよい。よって、使用者は、例えば、人差し指でベース体および蓋体のいずれか他方の外側面を押さえて、親指を進退部材の外側面に当て、親指を人差し指の方向へ押圧すれば、この係止状態を解除することができる。つまり、使用者は、片手の指でこの解除作業を行うことができるから、操作性が良い。
【００２３】
本発明のクリップにおいて、付勢手段は、進退部材に一体的に形成され弾性変形可能な弾性脚によって構成されていることが好ましい。
このような構成によれば、付勢手段は、進退部材と一体的に形成された弾性脚であることから、物品点数、組立工程数が少なくてすみ、さらに、比較的簡単な構成であるので成形しやすい。
【００２４】
本発明のクリップは、ベース体および蓋体のいずれか他方に設けられた抜止部と、移動体に設けられ、抜止部と係合する被抜止部とを備えることが好ましい。
このような構成によれば、ベース体および蓋体のいずれか他方に設けられた抜止部、および、移動体に設けられた被抜止部が係合されることにより、移動体を、ベース体および蓋体の他方から抜け落ちにくくすることができる。
【発明を実施するための最良の形態】
【００２５】
以下、本発明の実施形態を図面に基づいて説明する。なお、各実施形態の説明にあたって、同一構成要件については、同一符号を付し、その説明を省略する。
＜第１実施形態＞  
図１〜図５には、第１実施形態のクリップが示されている。
図１は、ポーチをバックパックに取付けるためのクリップの斜視図、図２は、移動体の斜視図、図３は、図２の移動体と移動体が挿入される中空孔を示す拡大図、図４および図５は、クリップの係止過程を説明するための断面図である。
【００２６】
第１実施形態のクリップ１は、これらの図に示すように、ベース体２と、このベース体２に回動機構４を介して回動可能に取付けられ、ベース体２との間に、例えば、バックパック２００のベルト２１０を挟持する蓋体３と、蓋体３に設けられた被係止部としての被係止軸部５と、ベース体２に、別体として、かつ、移動可能に設けられた移動体としての２枚のスライド部材６Ａ，６Ｂと、このスライド部材６Ａ，６Ｂに設けられ、係止位置に移動された際に被係止軸部５を係止するとともに、スライド部材６Ａ，６Ｂがそれぞれ解除位置まで移動された際に、被係止軸部５との係止状態を解除する係止部７とを備えている。
【００２７】
ベース体２は、ほぼ長方形の合成樹脂板であり、長手方向一端側に設けられ、ポーチ１００のストラップ１１０に取付けられるベース体取付部２１と、ベース体取付部２１の他端側に設けられたスライド部材収納部２２とから構成されている。
ベース体取付部２１には、長手方向に沿った２本の突条２３が、互いに平行に形成されている。突条２３はストラップ１１０を支持している。
【００２８】
スライド部材収納部２２には、図３に示すように、幅方向に貫通され、ほぼ直方体の内壁を持つ中空孔２４が形成されている。
中空孔２４は、スライド部材収納部２２の両側端面に形成された２つの側面開口２４１と、板表面から板裏面に向かって貫通された表面開口２４２と、表面開口２４２のベース体取付部２１とは反対側に並列し、板表面を貫通したスリット２４３とを有している。中空孔２４の両内側壁であるガイド壁２４４のうち、スリット２４３が形成された側のガイド壁２４４には、スリット２４３の貫通方向と重なる部分に抜止凹部２４５が形成されている。さらに、このスリット２４３が形成された側のガイド壁２４４は、両側面開口２４１に近づくにつれて開口が広がるように他端側へ向かって反っている。これは、中空孔２４に、前記スライド部材６Ａ,６Ｂを挿入しやすくするためである。
【００２９】
蓋体３は、ベース体２とほぼ同様な形状を持つ合成樹脂板であり、その長手方向一端部が、ベース体２の一端部に取付けられている。蓋体３は、バックパック２００のベルト２１０に取付けられる蓋体取付部３１と、蓋体取付部３１の他端側に設けられ、前記被係止軸部５を有する先端部３２とから構成されている。蓋体取付部３１には、表面から僅かな空間を空けて平行に形成された片であり、かつ、この空間にベルト２１０を挿通する押え片３３が形成されている。
【００３０】
回動機構４は、ベース体２の一端部に形成され、幅方向に伸びる筒部４１と、筒部４１の筒内部に挿通される支軸ピン４２と、蓋体３の一端部に形成され、支軸ピン４２の両端を保持する保持部４３とから構成される。これにより、蓋体３は、ベース体２に対して自在に回動することができる。
【００３１】
被係止軸部５は、ベース体２と対向する蓋体３の表面の他端部に形成されており、蓋体３と直交する方向に伸びた軸脚５１と、軸脚５１の先端に形成された円弧形状の係止爪部５２とから構成されている。係止爪部５２の蓋体３に対向する表面には、蓋体３の表面と平行な係止面５３が形成されている。
【００３２】
スライド部材６Ａ，６Ｂは、図２に示すように、共に合成樹脂板であって、同一の構成を持つ。
スライド部材６Ａは、長方形の本体面部６１と、本体面部６１の長手方向一端側に一体的、かつ同平面上に形成された弾性脚６２とから構成されている。
【００３３】
本体面部６１には、表面中央に貫通された長方形の第１開口６３Ａと、第１開口６３Ａの長手方向他端側が、第１開口６３Ａに対し直交する方向に段状に隆起した止め段６４と、開口６３Ａと長手方向に沿って並列し、細帯状に貫通されたスリット６５と、スリット６５と並列する側端面に形成された抜止凸部６６と、長手方向他端側側面に緩やかな曲面に形成された側面押圧部６７と、第１開口６３Ａの長手方向一端側の一部が、止め段６４と同じ方向に段状に隆起した嵌合凸部６８Ａとが設けられている。抜止凸部６６は、中空孔２４の抜止凹部２４５に係合される。
【００３４】
スライド部材６Ｂには、スライド部材６Ａと同一な第２開口６３Ｂ、嵌合凸部６８Ｂ等が設けられている。
弾性脚６２は、幅方向の一端側から他端側へ、かつ、長手方向に伸びた緩やかな曲線状の細脚であり、その先端は球状となっている。
【００３５】
スライド部材６Ａ，６Ｂは、図３に示すように、長手、幅方向の向きを揃え、かつ、嵌合凸部６８Ａ, 嵌合凸部６８Ｂを、それぞれ第２開口６３Ｂ、第１開口６３Ａに嵌合させて重ね合わされる。さらに、スライド部材６Ａ，６Ｂは、この重ね合わせた状態で、かつ、抜止凸部６６が中空孔２４の抜止凹部２４５に対向するように、中空孔２４に挿入される。このとき、スライド部材６Ａ,６Ｂの各長手側端面６１１は、中空孔２４のガイド壁２４４に摺接し移動する。
中空孔２４に挿入されたスライド部材６Ａ,６Ｂの各弾性脚６２の先端は、それぞれ他方の止め段６４の段壁面６４１に対向しており、スライド部材６Ａ，６Ｂを接近させる、つまり、それぞれの側面押圧部６７を押圧して、互いに重なる方向へ移動させると、弾性脚６２は、それぞれ段壁面６４１に押圧されて弾性変形する。この弾性脚６２の弾性変形で生じる復元力によって、スライド部材６Ａ，６Ｂは、隔離する方向、つまり、互いにずれる方向へ付勢される。スライド部材６Ａ，６Ｂは、それぞれの側面押圧部６７を押すことによって移動させることができる。
【００３６】
係止部７は、上記のようにスライド部材６Ａ，６Ｂを重ね合わせた際に形成される。
係止部７は、第１開口６３Ａの一端側内壁面である第１挟持面７１Ａと、第１挟持面７１Ａと対向し、かつ、第２開口６３Ｂの一端側内壁面である第２挟持面７１Ｂと、これら第１、第２挟持面７１Ａ，７１Ｂ、および、第１開口６３Ａの両内側壁面によって形成される係止口７２とから構成される。
スライド部材６Ａ，６Ｂの各側面押圧部６７を押圧すると、スライド部材６Ａ，６Ｂは互いに接近し、第１、２挟持面７１Ａ，７１Ｂの距離が大きくなるので、係止口７２も広まる。反対に、スライド部材６Ａ，６Ｂが、互いに隔離すると、第１、２挟持面７１Ａ，７１Ｂの距離が小さくなるので、係止口７２も狭まる。
【００３７】
第１実施形態のクリップ１によって、ポーチ１００をバックパック２００に後付けする方法を、図１、図４および図５を用いて説明する。
クリップ１は、被係止軸部５と係止部７の係止状態を解除しておく。
ポーチ１００の背面と、ポーチ１００のストラップ１１０との間にベース体２を挿通して、クリップ１をポーチ１００に取付ける。蓋体３の押え片３３にバックパック２００のベルト２１０を挿通する。
使用者は、蓋体３をベース体２に近づくように回動させ、図４に示すように、被係止軸部５の係止爪部５２を係止口７２に当接させる。次に、被係止軸部５とは反対側の蓋体３の表面、および、ベース体２のスライド部材収納部２２の裏面を指で互いに押圧する。
【００３８】
このとき、係止爪部５２が円弧形状をしていることから、スライド部材６Ａ，６Ｂの第１，第２挟持面７１Ａ，７１Ｂは、係止爪部５２の両側の曲面に押されて移動し、第１，第２挟持面７１Ａ，７１Ｂの間の距離が大きくなる。つまり、係止口７２が広がり、スライド部材６Ａ，６Ｂがそれぞれ解除位置に達したとき、係止爪部５２は、図５に示すように係止口７２へ挿入される。
【００３９】
係止爪部５２が完全に係止口７２へ挿入されると、軸脚５１が係止爪部５２の末広部分より細いことから、スライド部材６Ａ，６Ｂは、変形された弾性脚６２の付勢力によって互いに接近する方向へ移動する。スライド部材６Ａ，６Ｂが係止位置に達すると、第１，第２挟持面７１Ａ，７１Ｂは、軸脚５１の両側面を挟持し、さらに、スライド部材６Ａの嵌合凸部６８Ａの表面、および、スライド部材６Ｂの一端側裏面が係止面５３に当接し、係止爪部５２を保持する。このようにして、被係止軸部５は、係止口７２に係止される。このとき、弾性脚６２の弾性変形は完全に復元されていないため、スライド部材６Ａ，６Ｂは、互いに接近する方向へ付勢されており、被係止軸部５を確実に保持する。
この被係止軸部５と係止部７の係止により、ベース体２と蓋体３は重なり合った状態で固定され、ベース体２と蓋体３の間に挿通されたベルト２１０が確実に挟持される。こうして、ポーチ１００は、バックパック２００に確実に取付けられる。
【００４０】
ポーチ１００をバックパック２００から取り外すためには、使用者は、まず、片手の親指と人指し指で、スライド部材６Ａ，６Ｂの側面押圧部６７を押し合う。スライド部材６Ａ，６Ｂが解除位置に近づくにつれて、第１，第２挟持面７１Ａ，７１Ｂの間の距離が大きくなり、係止口７２は、係止爪部５２が出入り可能なほど広がる。
この状態で、使用者は残りの指を用いて、蓋体３をベース体２から離れる方向へ回動させ、係止爪部５２を係止口７２から引出す。このようにして、被係止軸部５と係止部７の係止状態を解除する。
すると、ベース体２と蓋体３の間に挟持されていたベルト２１０が自由となるので、ベルト２１０を押え片３３から外すと、クリップ１をバックパック２００から取り外すことができる。つまり、ポーチ１００をバックパック２００から取り外すことができる。
【００４１】
第１実施形態によれば、次のような効果を期待することができる。
（１）スライド部材６Ａ，６Ｂは、ベース体２および蓋体３のいずれとも別体であるので、ベース体２および蓋体３の材質・形状によって移動されにくくなることはない。
（２）（１）より、ベース体２および蓋体３がどのような材質・形状であっても、スライド部材６Ａ，６Ｂは移動させやすく、使用者は、軽い力で係止状態の解除を行うことができる。従って、操作性が良いので、クリップ１の使用者および使用用途を拡大させることができる。
（３）（１）より、ベース体２および蓋体３の材質・形状は、クリップ１の使用目的や強度を優先することができるため、使い勝手が良く、かつ、強度の高いクリップ１を実現できる。
【００４２】
（４）被係止軸部５を係止部７に係止させるには、まず、スライド部材６Ａ，６Ｂを解除位置まで移動させる作業、次に、被係止軸部５を係止口７２に挿入させた後、スライド部材６Ａ，６Ｂを被係止部が係止される位置まで移動させる作業が必要となるが、この後者の作業は、弾性脚６２によって、スライド部材６Ａ，６Ｂが係止位置に復帰されることより行われるため、使用者は、前者の作業のみを行えばよい。また、前者の作業も、被係止軸部５を係止口７２に指で押し込むだけでよく、係止作業が簡単である。
（５）被係止軸部５の係止部７との係止状態において、係止位置に、スライド部材６Ａ，６Ｂが常に付勢されるので、スライド部材６Ａ，６Ｂを移動させない限り、この係止状態が外れることはない。
【００４３】
（６）被係止軸部５と係止部７の係止状態を解除するには、まず、スライド部材６Ａ，６Ｂを解除位置まで移動させ、係止状態を解除させるが、この作業の後、スライド部材６Ａ，６Ｂは、弾性脚６２によって自動的に解除位置から係止位置に復帰するので、使用者は、このスライド部材６Ａ，６Ｂを係止位置に移動させる作業を行う必要はない。
（７）弾性脚６２は、スライド部材６Ａ，６Ｂと一体的に形成されていることから、物品点数、組立工程数が少なくてすみ、さらに、比較的簡単な構成であるので成形しやすい。
（８）被係止軸部５と係止部７の係止状態を解除するには、解除位置に達するまで、一対のスライド部材６Ａ，６Ｂを、互いに接近する方向へ移動させればよいので、使用者は、例えば、人差し指をスライド部材６Ａの側面押圧部６７に、親指をスライド部材６Ｂの側面押圧部６７に当て、この２本の指の間を狭めるように互いに押圧すれば、この係止状態を解除することができる。つまり、使用者は片手の指でこの解除作業を行えることから、操作性が良い。
【００４４】
（９）中空孔２４に形成された抜止凹部２４５、および、スライド部材６Ａ，６Ｂに形成された抜止凸部６６が係合されるので、スライド部材６Ａ，６Ｂを、中空孔２４から抜け落ちないようにすることができる。
（１０）中空孔２４のガイド壁２４４に抜止凹部２４５が形成され、スライド部材６Ａ，６Ｂには、スリット６５と並列する側端面に抜止凸部６６が形成されていることから、スライド部材６Ａ，６Ｂを中空孔２４に挿入する際、抜止凸部６６を内側方向へ変形させることができるので、スライド部材６Ａ，６Ｂを中空孔２４に挿入しやすくなる。
【００４５】
なお、第１実施形態のクリップ１は、図６に示すように構成してもよい。つまり、係止面５３の表面を、軸脚５１に近づくにつれて係止爪部５２の先端方向へ食い込むように傾斜させ、さらに、係止面５３と当接する嵌合凸部６８Ａの表面、および、スライド部材６Ｂの一端側裏面も、第１、第２開口６３Ａ,６３Ｂに向かって傾斜を持つように形成してもよい。このようにすると、軸脚５１を挟持した第１，第２挟持面７１Ａ，７１Ｂは、互いに隔離する方向へ移動しにくくなる。そのため、係止口７２は、より確実に被係止軸部５を係止することができる。
【００４６】
第１実施形態のクリップ１では、スライド部材収納部２２の両端面に側面開口２４１が形成されていたが、本発明のクリップ１は、いずれか一方の側面開口２４１のみを形成し、この側面開口２４１から中空孔２４へ１つのスライド部材６Ａを挿入し、係止爪部５２の係止面５３をスライド部材６Ａの底面に係止させることで、ベース体２と蓋体３の固定を行う構成とすることも可能である。
【００４７】
＜第２実施形態＞
本発明の第２実施形態を、図７および図８に示す。図７は、第２実施形態の移動体の斜視図、図８は、図７の移動体と移動体が挿入される中空孔を示す拡大図である。
第２実施形態のクリップ１Ａは、第１実施形態のクリップ１に対して、係止爪部５２の向きが異なり、また、移動体がベース体２に対し進退可能である進退部材８によって形成されており、そのため、中空孔２４Ａおよび係止部９の構成が異なる。
進退部材８は、図７に示すように、一端側から四角状に大きく切込まれた切込開口８３を有する本体面部８１と、本体面部８１の長手方向一端側に一体的、かつ同平面上に形成された２本の弾性脚８２Ａ,８２Ｂとから構成されている。
【００４８】
本体面部８１には、幅方向一端側側面に形成された抜止凸部６６と、長手方向他端側側面に緩やかな曲面に形成された側面押圧部６７とが設けられている。
弾性脚８２Ａ，８２Ｂは、互いに対称であり、切込開口８３の内側面に長手方向に沿って設けられた長尺板状の脚支持部８４と、脚支持部８４から長手方向へ延長された脚先端部８５とから構成される。脚支持部８４は、切込開口８３の内側面に対し、境界部分がＶ字溝を形成するように傾いて設けられている。脚先端部８５は、それぞれ、幅方向の一端側（他端側）から他端側（一端側）へ湾曲して、互いに交差しており、その先端は球状となっている。
【００４９】
係止部９は、切込開口８３の一端付近の脚支持部８４の両内側面に設けられ、それぞれ幅方向に伸びる係止板９１Ａ，９１Ｂと、係止板９１Ａ，９１Ｂの間に挟まれた係止口９２とから構成される。係止口９２には、被係止軸部５の係止爪部５２が係止される。
【００５０】
中空孔２４Ａは、図８に示すように、第１実施形態の中空孔２４に対して、側面開口２４１が片側のみに形成され、この側面開口２４１を口とした袋形状となっている点が異なる。
進退部材８は、抜止凸部６６が中空孔２４Ａの抜止凹部２４５に対向するように、一端側から中空孔２４Ａに挿入される。このとき、弾性脚８２Ａ，８２Ｂの先端は、中空孔２４Ａの袋底面に当接しており、進退部材８を中空孔２４Ａに進入する方向へ移動させると、弾性脚８２Ａ，８２Ｂは、それぞれ袋底面に押圧されて弾性変形する。この弾性脚８２Ａ，８２Ｂの弾性変形で生じる復元力によって、進退部材８は、中空孔２４Ａから突出する方向へ付勢される。進退部材８は、側面押圧部６７を押すことによって移動させることができる。
【００５１】
第２実施形態のクリップ１Ａを用いて、ポーチをバックパックに後付けするには、前述した第１実施形態のクリップ１を用いる方法に対し、被係止軸部５を係止部９によって、係止・解除する原理が異なる。
まず、被係止軸部５を係止部９に係止するには、被係止軸部５の係止爪部５２を係止口９２に当接させて、ベース体２および蓋体３を互いに押圧するが、このとき、係止爪部５２の円弧形状の先端により、係止板９１Ａ，９１Ｂが押圧され、係止板９１Ａ，９１Ｂ、および、これらが形成された脚支持部８４が、ベース体２の表面から裏面へ向かう方向へ変形される。この係止板９１Ａ，および、９１Ｂの変形によって、係止爪部５２は係止口９２に挿入することができる。
【００５２】
係止爪部５２が完全に係止口９２へ挿入されると、軸脚５１が係止爪部５２の末広部分より細いことから、係止板９１Ａ，９１Ｂの変形が復元し、係止板９１Ａ，９１Ｂの表面が、係止面５３に当接して係止爪部５２を保持する。このようにして、被係止軸部５は、係止口９２に係止される。
次に、この被係止軸部５と係止部９の係止状態を解除するには、使用者は、まず、片手の親指と人差し指等で、進退部材８の側面押圧部６７とベース体２の側端面を押し合う。すると、進退部材８が中空孔２４Ａへ進入する方向へ移動するので、係止板９１Ａ，９１Ｂの位置も移動する。やがて、進退部材８が解除位置に近づくにつれ、係止板９１Ａ，９１Ｂと係止面５３の位置が完全にずれ、係止面５３が、係止板９１Ａ，９１Ｂから隔離される。
この状態で、残りの指を用いて、蓋体３をベース体２から離れる方向へ回動させ、係止爪部５２を係止口９２から引出す。このようにして、被係止軸部５と係止部７の係止状態を解除する。
【００５３】
第２実施形態によれば、第１実施形態で期待できる効果（４），（８）を除いた効果（１）〜（１０）に加え、次のような効果を期待することができる。
（１１）被係止軸部５と係止部９の係止は、係止板９１Ａ，９１Ｂ、および、脚支持部８４の変形によって、係止爪部５２が係止口９２に挿入され、次に、係止板９１Ａ，９１Ｂ、および、脚支持部８４の変形の復元によって、係止爪部５２が係止されることによって行われるため、使用者は、被係止軸部５を係止口９２に指で押し込むだけでよく、係止作業が簡単である。
（１２）脚支持部８４は、切込開口８３の内側面に対し、Ｖ字溝を形成するように傾いて形成していることから、（１１）の係止板９１Ａ，９１Ｂ、および、脚支持部８４の変形が行われやすい。
（１３）（１２）より、進退部材８を中空孔２４Ａに挿入する際、抜止凸部６６を、Ｖ字溝の方向へ変形させることができるので、進退部材８を中空孔２４Ａに挿入しやすくなる。
【００５４】
（１４）被係止軸部５と係止部９の係止状態を解除するには、解除位置に達するまで、進退部材８を、中空孔２４Ａに進入する方向へ移動させればよいので、使用者は、例えば、人指し指をベース体２の側端面に、親指を進退部材８の側面押圧部６７に当て、この２本の指の間を狭めるように互いに押圧すれば、この係止状態を解除することができる。つまり、使用者は片手の指でこの解除作業を行えることから、操作性が良い。
（１５）移動部材としての進退部材８が一枚であることから、部品点数が少なくてすみ、また、中空孔２４Ａへ挿入しやすいので、クリップ１Ａの組立の手間を少なくすることができる。
【００５５】
＜変形例＞
なお、本発明は前述の実施形態に限定されるものではなく、本発明の目的を達成できる範囲での変形、改良等は本発明に含まれるものである。
【００５６】
本発明では、被係止軸部５をベース体２に、係止部７，９を蓋体３に設けてもよい。
第１、第２実施形態では、回動機構４は、支軸ピン４２を回動の中心とする構成であるが、本発明では、ベース体２と蓋体３の取付部分にヒンジを形成し、このヒンジの変形によりベース体２および蓋体３の回動を行ってもよい。このような構成によると、被係止軸部５と係止部７，９の係止状態の解除と同時に、ヒンジの復元力により、自動的に蓋体３がベース体２から離れて回動されるので、使用者は、この蓋体３の回動作業を行う必要がない。
【００５７】
また、他にも、保持部４３に、筒部４１と噛み合う歯車状のノッチ部を形成し、蓋体３のベース体２に対する回動角度を調節し、その回動角度で固定できるようにしてもよい。
第１、第２実施形態では、ベース体２と蓋体３は別体であり、回動機構４を介して互いに取付けられるとしたが、本発明では、ベース体２および蓋体３を一体的に成型してもよい。
第１、第２実施形態では、付勢手段として、スライド部材６Ａ，６Ｂ、または、進退部材８に一体成形された弾性脚６２，８２Ａ，８２Ｂを用いたが、本発明では、例えば、別体のばね等を用いてもよい。このように付勢手段にばねを用いると、クリップ１，１Ａは、強度が高く、弾性が極めて小さい金属部材からも成形することができる。
【産業上の利用可能性】
【００５８】
本発明は、別体である２つの部材を、互いに着脱可能に結合させるクリップに利用できる。
【図面の簡単な説明】
【００５９】
【図１】本発明の第１実施形態にかかるクリップの斜視図。
【図２】同上の実施形態にかかる移動体の斜視図。
【図３】図２の移動体と移動体が挿入される中空孔を示す拡大図。
【図４】同上の実施形態にかかるクリップの係止過程を説明するための断面図。
【図５】同上の実施形態にかかるクリップの係止過程を説明するための断面図。
【図６】同上の実施形態にかかるクリップの変形例を示す断面図。
【図７】本発明の第２実施形態にかかる移動体の斜視図。
【図８】図７の移動体と移動体が挿入される中空孔を示す拡大図。
【図９】ポーチをバックパックに取付ける例を示す図。
【図１０】従来のクリップを示す斜視図。
【図１１】図１０とは異なる従来のクリップを示す斜視図。
【符号の説明】
【００６０】
１,１Ａ…クリップ、２…ベース体、２４５…抜止凹部、３…蓋体、５…被係止軸部、６Ａ，６Ｂ…スライド部材、６２，８２Ａ，８２Ｂ…弾性脚、６６…抜止凸部、７，９…係止部、８…進退部材、２１０…ベルト
【図１】
2006141623.tif 000003
【図２】
2006141623.tif 000004
【図３】
2006141623.tif 000005
【図４】
2006141623.tif 000006
【図５】
2006141623.tif 000007
【図６】
2006141623.tif 000008
【図７】
2006141623.tif 000009
【図８】
2006141623.tif 000010
【図９】
2006141623.tif 000011
【図１０】
2006141623.tif 000012
【図１１】
2006141623.tif 000013